(57)【要約】【課題】ベースを組み立てる時の工程段階が節約され、快速的に結合する効果が得られ、全体重量と製造コストを低下できる集光ベース構造を提供する。【解決手段】複数の一側の端縁に欠け口部があり各第１の棒体の外側に隣接する少なくとも一つの面にそれぞれ複数の長い槽が設けられ両端を貫通する中空部を有し複数の連接ユニットにより二つの隣接する第１の棒体の中空部が連接される第１の棒体が備えられる第１のフレームと、一側に隣接する少なくとも一つの面にそれぞれ複数の長い槽が設けられ両端を貫通する中空部があり複数の連接ユニットにより二つの隣接する第２の棒体の中空部が連接される複数の第２の棒体が備えられる第２のフレームと、二つの側板から構成され各側板の両端がそれぞれ固定素子に合わせて該第１と第２のフレームの間に固設され固定素子により二つの対応する第１と第２の棒体の長い槽に固設されて各棒体の隣接箇所に位置付けられる複数の支持ユニットとが含有される。【選択図】図２Ａ
2008300380.tif 000002
【特許請求の範囲】
【請求項１】
それぞれ一側の端縁に欠け口部があり、もう一側に隣接する少なくとも一つの面にそれぞれ複数の長い槽が設けられ、また、両端を貫通する中空部が設けられる複数の第１の棒体と、一側に隣接する少なくとも一つの面にそれぞれ複数の長い槽が設けられ、また、両端を貫通する中空部が設けられる複数の第２の棒体と、それぞれ一端が互いに連接される二つの挿設部から構成され、二つの挿設部がそれぞれ上記の第１と第２の棒体の中空部に設置される複数の連接ユニットと、それぞれ一端が互いに連接される二つの側板から構成され、各側板の両端がそれぞれ固定素子により第１と第２の棒体の隣接箇所に位置するように、二つの対応する第１と第２の棒体の長い槽に固設される複数の支持ユニットとが、含有されることを特徴とする集光ベース構造。
【請求項２】
各連接ユニットの二つの挿設部に隣接する一面に複数の干渉部が設置されることを特徴とする請求項１に記載の集光ベース構造。
【請求項３】
各連接ユニットは約Ｌ文字状であることを特徴とする請求項１に記載の集光ベース構造。
【請求項４】
少なくとも一つの第２の棒体の下方に支持板が固接されることを特徴とする請求項１に記載の集光ベース構造。
【請求項５】
二つの対応する第１と第２の棒体の長い槽にそれぞれ固定素子に合わせて蓋板が固設され、また、各蓋板はそれぞれ各支持ユニットの一側に設けられることを特徴とする請求項１に記載の集光ベース構造。
【請求項６】
複数の中空部が設けられる第１の棒体と、複数の隣接する第１の棒体の中空部の連接ユニットから構成され、各第１の棒体において対応する一側の端縁に欠け口部があり、各第１の棒体の外側に隣接する、少なくとも一つの面に、それぞれ複数の長い槽が設けられる第１のフレームと、複数の中空部が設けられる第２の棒体と、複数の隣接する第２の棒体の中空部の連接ユニットから構成され、各第２の棒体の外側に隣接する、少なくとも一つの面にそれぞれ複数の長い槽が設けられる第２のフレームと、それぞれ、一端が連接される二つの側板から構成され、各側板の両端がそれぞれ固定素子に合わせて第１と第２のフレームの間に固設され、また、固定素子により二つの対応する第１と第２の棒体の長い槽に固設されて、第１と第２の棒体の隣接箇所に位置付けられる複数の支持ユニットとが、含有されることを特徴とする集光ベース構造。
【請求項７】
該第１のフレームの内側において、対応する第１の棒体の端縁に設けられた欠け口部に跨るようにレンズが設けられることを特徴とする請求項６に記載の集光ベース構造。
【請求項８】
該第２のフレームにおいて、相対応する第２の棒体に設けられた長い槽に電池収納ベースが螺着されることを特徴とする請求項６に記載の集光ベース構造。
【請求項９】
該第１のフレームと該第２のフレームの二つの対応する第１と第２の棒体の長い槽に、それぞれ固定素子に合わせて蓋板が固設され、また、各蓋板がそれぞれ、各支持ユニットの一側に設けられることを特徴とする請求項６に記載の集光ベース構造。
【請求項１０】
該連接ユニットは、それぞれ一端が連接される二つの挿設部から構成され、また、各連接ユニットの二つの挿設部に隣接する一面に複数の干渉部が設置されることを特徴とする請求項６に記載の集光ベース構造。
【請求項１１】
各連接ユニットは約Ｌ文字状であることを特徴とする請求項６に記載の集光ベース構造。
【請求項１２】
該第２のフレームの少なくとも一つの棒体の下方に支持板が固接されることを特徴とする請求項６に記載の集光ベース構造。
【発明の詳細な説明】
【技術分野】
【０００１】
本発明は、集光ベース構造に関し、特に、該ベースを実装する時の工程段階を低減でき、快速的に結合する効果が得られ、また、全体重量と製造コストを低下できる。
【背景技術】
【０００２】
一般の従来の集光型太陽エネルギー発電装置７は、図５のように、搭載フレーム７１と少なくとも一つの該搭載フレーム７１に設置される集光ユニット７２とが含有される。該搭載フレーム７１は、複数の棒部材７１１が備えられ、また、該棒部材７１１の側面に、少なくとも一つの摺動槽７１２があり、また、該棒部材７１１は、少なくとも一つの重量を低減するための中空部７１３が設けられ、而該集光ユニット７２は、フレネルレンズ７２１と太陽エネルギー電池モジュール７２２とが含有され、該太陽エネルギー電池モジュール７２２は、板部材７２３により、該搭載フレーム７１に設置され、該フレネルレンズ７２１は、フレーム７２４により、該搭載フレーム７１に設置され、また、該フレーム７２４は、対応する棒部材７１の摺動槽７１２に挿入できる側フィン７２５がある。該搭載フレーム７１は、該フレネルレンズ７２１を搭載する上フレーム７１４と該太陽エネルギー電池モジュール７２２を搭載する下フレーム７１５とが含有され、該搭載フレーム７１を実装する時（図６と図７のように）、複数の開孔７３１を有し、二つの垂直に隣接する棒部材７１１の角部材７３と該棒部材７１１の摺動槽７１２に設置されるナット７４及び該角部材７３の開孔７３１を通して該ナット７４に螺着されるボルト７５により、組み立てられ、該ナット７４は、当て木７６を介して該摺動槽７１２に設置され、また、該搭載フレーム７１は、該棒部材７１１の摺動槽７１２に設置されるナット８２ともう一つの垂直に隣接する棒部材７１１の摺動槽７１２に設置される固定部材８及び該固定部材８の開孔８１を通して該ナット８２に螺着されるボルト８３により、組み立てられ、これにより、集光型太陽エネルギー発電装置７が構成される。
【０００３】
上記の従来の構造は、集光型太陽エネルギー発電装置７を構成できるが、搭載フレーム７１を実装する時、該角部材７３とナット７４、ボルト７５、当て木７６、固定部材８、ナット８２及びボルト８３等の素子を利用して各棒部材７１１を連接して、搭載フレーム７１を組み立てるため、搭載フレーム７１を組み立てる手順が複雑で、製造コストが高くなり、また、組立効率に悪影響を与え、また、搭載フレーム７１が組み立てられた後の全体重量が比較的に重いため、上記の従来の集光型太陽エネルギー発電装置７は、実用的ではなく、改善すべくところがある。
【発明の開示】
【発明が解決しようとする課題】
【０００４】
本発明の主な目的は、複数の棒体と複数の連接ユニットにより、第１のフレームと第２のフレームを構成し、また、複数の支持ユニットが固接されることにより、該ベースを組み立てる時の工程段階が簡素化され、快速的に結合できる効果が得られ、また、全体重量と製造コストの低減が実現される集光ベース構造を提供する。
【課題を解決するための手段】
【０００５】
本発明は、上記の目的を達成するため、少なくとも、複数の一側の端縁に欠け口部があり各第１の棒体の外側に隣接する、少なくとも一つの面にそれぞれ複数の長い槽が設けられ両端を貫通する中空部を有し複数の連接ユニットにより二つの隣接する第１の棒体の中空部が連接される第１の棒体が備えられる第１のフレームと、一側に隣接する少なくとも一つの面にそれぞれ複数の長い槽が設けられ両端を貫通する中空部があり複数の連接ユニットにより二つの隣接する第２の棒体の中空部が連接される複数の第２の棒体が備えられる第２のフレームと、二つの側板から構成され各側板の両端がそれぞれ固定素子に合わせて該第１と第２のフレームの間に固設され固定素子により二つの対応する第１と第２の棒体の長い槽に固設されて各棒体の隣接箇所に位置付けられる複数の支持ユニットとが含有され、これにより、該ベースを組み立てる時の工程段階が節約され、快速的に結合する効果が得られ、また、全体重量と製造コストを低下できる集光ベース構造である。
【発明を実施するための最良の形態】
【０００６】
図１から図２Ｃは、それぞれ、本発明の立体外観概念図と本発明の立体分解概念図、図２Ａのａの拡大図及び図２Ａのｂの拡大図である。図のように、本発明は、集光ベース構造であり、少なくとも、第１のフレーム１と第２のフレーム２及び複数の支持ユニット３が含有され、これにより、該ベースを組み立てる時の工程段階を簡素化でき、快速的に結合できる効果が得られ、また、全体重量と製造コストを低減できる。
【０００７】
該第１のフレーム１は、複数の中空部１１１が設けられる第１の棒体１１と、複数の二つの隣接する第１の棒体１１の中空部１１１の間に設けられる連接ユニット１２とから構成され、各連接ユニット１２は、約Ｌ文字状で、それぞれ、一端が互いに連接され、また、該第１の棒体１１の中空部１１１に挿設できる二つの挿設部１２１から構成され、該挿設部１２１が隣接する一面に、複数の干渉部１２２が設置され、また、各第１の棒体１１において、対応する一側の端縁に、欠け口部１１２を有し、また、各第１の棒体１１の外側に隣接する少なくとも一つの面に、それぞれ、多数の長い槽１１３、１１３ａが設けられる。
【０００８】
該第２のフレーム２は、複数の中空部２１１が設けられる第２の棒体２１と、複数の二つの隣接する第２の棒体２１の中空部２１１の間に設けられる連接ユニット２２から構成され、該連接ユニット２２は、それぞれ、一端が連接され、また、該第２の棒体２１の中空部２１１に挿設される二つの挿設部２２１から構成され、また、該挿設部２２１に隣接する一面に、複数の干渉部２２２が設置され、各第２の棒体２１の外側に隣接する少なくとも一つの面に、それぞれ、複数の長い槽２１２、２１２ａ、２１２ｂ、２１２ｃが設けられる。
【０００９】
各支持ユニット３は、それぞれ、一端が連接される二つの側板３１から構成され、各側板３１の両端は、それぞれ、固定素子３２に合わせて第１のフレーム１と第２のフレーム２の間に固設され、支持ユニット３は、固定素子３２により二つの対応する第１と第２の棒体１１、２１の長い槽１１３ａ、２１２ａに固設され、各棒体１１、２１の隣接箇所に位置付けられる。これにより、新規の集光ベース構造が構成される。
【００１０】
図３と図４は、本発明の組立状態の概念図である。図のように、本発明を組み立てる時、少なくとも四つの第１の棒体１１と少なくとも四つの連接ユニット１２を用意し、また、該四つの連接ユニット１２の挿設部１２１を、それぞれ、四つの第１の棒体１１の両端の中空部１１１に挿設し、該二つの挿設部１２１は、その一面に位置する干渉部１２２により、中空部１１１の内壁と互いに干渉することにより、安定的に該第１の棒体１１に挿設されて、第１のフレーム１が形成される。
【００１１】
その後、少なくとも四つの第２の棒体２１と少なくとも四つの連接ユニット２２を用意して、該四つの連接ユニット２２の挿設部２２１を、それぞれ、四つの第２の棒体２１の両端に位置する中空部２１１に挿設し、該二つの挿設部２２１は、その一面にある干渉部２２２により、中空部２２１の内壁と互いに干渉することにより、安定的に該第２の棒体２１に挿設されて、第２のフレーム２が形成される。
【００１２】
該第１のフレーム１と該第２のフレーム２とが、それぞれ、成形された後、四つの支持ユニット３を、それぞれ、該第１のフレーム１と該第２のフレーム２の４隅に設置し、また、二つの側板３１を、その両端が、それぞれ、固定素子３２により第１と第２の棒体１１、２１の長い槽１１３ａ、２１２ａに合わせるように、設置し、これにより、各支持ユニット３は、固定素子３２により二つの対応する第１と第２の棒体１１、２１の長い槽１１３ａ、２１２ａに固設されて、各第１と第２の棒体１１、２１の隣接箇所に位置付けられ、そのため、各支持ユニット３が、該第１のフレーム１と該第２のフレーム２の間に固設され、また、該第２のフレーム２において、対応する第２の棒体２１に設けられる長い槽２１２ｂに、直接に、電池収納ベース４が螺着され、また、該第１のフレーム１の内側において、対応する第１の棒体１１の端縁に設けられる欠け口部１１２に、跨るように、直接に、レンズ５が設けられ、最後に、該第１のフレーム１と該第２のフレーム２の間の各面に、それぞれ、跨るように蓋板６が設けられ、該蓋板６は、約冂文字状であり、該蓋板６の両端にある延伸部６１、６１ａが、それぞれ、該第１と第２の棒体１１、２１の長い槽１１３、２１２に設置され、また、該固定素子６２に合わせて、該蓋板６の一面から、該第１と第２の棒体１１、２１のもう一つの長い槽１１３ａ、２１２ａに螺着するようにして、該蓋板６は、該第１のフレーム１と該第２のフレーム２の間の各面に固設され、設置する時、該第２のフレーム２の少なくとも一つの第２の棒体２１の下方に、支持板３３が固接され、該支持板３３の両端が、固定素子３４により、直接に、相対応する第２の棒体２１の長い槽２１２ｃに螺着され、これにより、該集光ベースが、安定的に必要な位置に固設される。
【００１３】
以上のように、本発明に係わる集光ベース構造によれば、有効に、従来の諸欠点を改善でき、複数の棒体と複数の連接ユニットとから構成される第１のフレームと第２のフレームは、同時に、複数の支持ユニットが固接されるため、該ベースを組み立てる時の工程段階が簡素化され、快速的に結合できる効果が得られ、また、全体重量と製造コストを低減できるため、本発明は、より進歩的かつより実用的で、法に従って特許請求を出願する。
【００１４】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００１５】
【図１】本発明の立体外観の概念図
【図２Ａ】本発明の立体分解の概念図
【図２Ｂ】図２Ａのａの拡大図
【図２Ｃ】図２Ａのｂの拡大図
【図３】本発明の組立状態の概念図
【図４】本発明の組立状態の概念図
【図５】従来の立体分解の概念図
【図６】従来の搭載フレームの組立の概念図
【図７】従来の搭載フレームの組立の概念図
【符号の説明】
【００１６】
（本発明部分）
１        第１のフレーム
１１      第１の棒体
１１１    中空部
１１２    欠け口部
１１３    長い槽
１１３ａ  長い槽
１２      連接ユニット
１２１    挿設部
１２２    干渉部
２        第２のフレーム
２１      第２の棒体
２１１    中空部
２１２    長い槽
２１２ａ  長い槽
２１２ｂ  長い槽
２１２ｃ  長い槽
２２      連接ユニット
２２１    挿設部
２２２    干渉部
３        支持ユニット
３１      側板
３２      固定素子
３３      支持板
３４      固定素子
４        電池収納ベース
５        レンズ
６        蓋板
６１      延伸部
６１ａ    延伸部
６２      固定素子
ａ      拡大図
ｂ      拡大図
（従来部分）
７        集光型太陽エネルギー発電装置
７１      搭載フレーム
７１１    棒部材
７１２    摺動槽
７１３    中空部
７１４    フレーム
７１５    フレーム
７２      集光ユニット
７２１    フレネルレンズ
７２２    太陽エネルギー電池モジュール
７２３    板部材
７２４    フレーム
７２５    側フィン
７３      角部材
７３１    開孔
７４      ナット
７５      ボルト
７６      当て木
８        固定部材
８１      開孔
８２      ナット
８３      ボルト
【図１】
2008300380.tif 000003
【図２Ａ】
2008300380.tif 000004
【図２Ｂ】
2008300380.tif 000005
【図２Ｃ】
2008300380.tif 000006
【図３】
2008300380.tif 000007
【図４】
2008300380.tif 000008
【図５】
2008300380.tif 000009
【図６】
2008300380.tif 000010
【図７】
2008300380.tif 000011